【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
レーザーアセンブリ（１０）、特にレーザー共振器又は再生増幅器、によりレーザーパルス列を生成するための方法であって、該レーザーアセンブリ（１０）は少なくとも、
・  ２つの反射部材（１６、２６）、特にその内の１つは規定された波長に対して部分的に透明である、
・  レーザー媒質（１７）及び
・  偏光、及び／又は、位相の電圧制御された変化を与えるための電気光学変調器（１５）、特にポッケルスセル（１５）、
を備え、
該方法は、
・  増幅電圧を該電気光学変調器（１５）へ印加することにより光増幅モードにおける該レーザーアセンブリ（１０）を操作すること、及びこれにより該レーザーアセンブリ（１０）内での導入された種レーザーパルス（２０）の、規定された循環時間及び各循環での該レーザー媒質（１５）との相互作用による該種レーザーパルス（２０）の増幅を伴う循環を与えること、ここで、増幅されたレーザーパルスが提供される、及び
・  該電気光学変調器（１５）へ印加された該増幅電圧を変えることにより、該レーザーアセンブリ（１０）から少なくとも１つのレーザーパルス（２１）を引き出すために、パルス引出しシーケンスを実行させること、
を包含し、
該増幅電圧を基準に規定の電圧変化（４０）を印加することにより、規定された時間間隔のための該パルス引出しシーケンスを実行されること、ここで、該電圧の変化は、
・  少なくとも１つの中間スイッチング状態が、該時間間隔内で中間電圧を印加することにより該電気光学変調器（１５）の側に生成され、該中間スイッチング状態は、該電気光学変調器（１５）による該増幅されたレーザー放射の偏光の特定の変化を与える、
・  最終スイッチング状態が、最終引出し電圧を該時間間隔の最後で印加することにより該電気光学変調器（１５）の側に生成される、
・  該少なくとも１つの中間スイッチング状態内での該増幅されたレーザーパルスの該電気光学変調器（１５）との少なくとも１つの中間相互作用は、該増幅されたレーザーパルスの少なくとも１つの個々の中間循環に関して与えられる、及び
・  該最終スイッチング状態での該増幅されたレーザーパルスの該電気光学変調器（１５）との最終相互作用は、該少なくとも１つの中間循環に続く該増幅されたレーザーパルスの循環に関して与えられる、
ように調整され、
少なくとも２つのレーザーパルス列が、各循環での該増幅されたレーザーパルスの個々のスイッチング状態にある該電気光学変調器（１５）との該相互作用に従い引出される、
ことを特徴とする、前記方法。
【請求項２】
該循環する増幅されたレーザーパルスの該増幅されたレーザー光の該偏光は、該結果として生じる偏光が規定の引出し基準に合うように、各循環での中間及び／又は最終スイッチング状態にある該電気光学変調器（１５）との相互作用により変えられる、
ことを特徴とする、請求項１に記載の方法。
【請求項３】
該電気光学変調器（１５）は、‐該中間又は最終スイッチング状態の存在下で‐該増幅されたレーザーパルスが変えられた偏光状態を備えるように該増幅されたレーザーパルスと相互作用し、該変えられた偏光状態は、少なくとも２つの偏光部分の比により規定され、該比は該印加された中間電圧に依存する、
ことを特徴とする、請求項１又は２に記載の方法。
【請求項４】
該増幅されたレーザーパルスの一部分は、該増幅されたレーザーパルスの該増幅されたレーザー光の偏光感知スプリッティングに基づいて引出される、特にここで、該少なくとも２つの偏光部分の１つが引出される、
ことを特徴とする、請求項１〜３のいずれか１項に記載の方法。
【請求項５】
該少なくとも１つの中間スイッチング状態の間に、該増幅されたレーザーパルスが該電気光学変調器（１５）と相互作用するように、該規定された電圧変化の印加を該レーザーアセンブリ内の該増幅されたレーザーパルスの伝播と同期させること、
を特徴とする、請求項１〜４のいずれか１項に記載の方法。
【請求項６】
・  該少なくとも２つのレーザーパルス列の第１パルスが、該増幅されたレーザーパルスの第１中間スイッチング状態における該電気光学変調器（１５）との相互作用により引出される、及び
・  該少なくとも２つのレーザーパルス列の第２パルスが、該増幅されたレーザーパルスの第２中間スイッチング状態における該電気光学変調器（１５）との相互作用により引出される、
特にここで、該電圧変化（４０）は、該レーザーアセンブリ内の該増幅されたレーザーパルスの該伝播に対して時間的に調整される、
ことを特徴とする、請求項１〜５のいずれか１項に記載の方法。
【請求項７】
該増幅電圧は、
・  該電気光学変調器（１５）のゲート電圧、特にλ／４電圧、又は
・  ゼロ電圧、
に対応し、
及び／又は
・  該電圧変化は、電圧降下又は電圧上昇、特に電圧ジャンプ、を含む形のものである、
特にここで、該増幅電圧、及び／又は、該電圧変化は、該レーザーアセンブリ（１０）に依存している、
ことを特徴とする、請求項１〜６のいずれか１項に記載の方法。
【請求項８】
該電圧変化（４０）に関する電圧パラメータの１セットを規定すること、ここで、該電圧パラメータは、該電圧変化についての傾斜、及び／又は、該時間間隔の時間的な伸長を規定する、
を特徴とする、請求項１〜７のいずれか１項に記載の方法。
【請求項９】
該電圧パラメータは、以下のような仕方：
・  該時間間隔の該時間的伸長は、少なくとも２つの中間レーザーパルスを探知するために、該レーザーアセンブリ内の該増幅されたレーザーパルスの少なくとも該循環時間、特に該循環時間の倍数、に対応する、及び／又は
・  該電圧変化に関する傾斜は、比較的浅い、特に、循環当たり０Ｖ〜２５０Ｖの範囲内、である、
で規定されることを特徴とする、請求項８に記載の方法。
【請求項１０】
パルス引出しシーケンスは、少なくとも２つの電圧変化領域を備え、その各々は、特定のパルスパラメータ、特にパルスピークパワー、特にここで該電圧変化の該過程が少なくとも２つの電圧変化領域にわたる変動を規定する、を与える該電圧変化（４０）の規定された過程を規定する、
ことを特徴とする、請求項１〜９のいずれか１項に記載の方法。
【請求項１１】
レーザーパルス列を生成するためのレーザーアセンブリ（１０）、特にレーザー共振器又は再生レーザー増幅器、であって、該レーザーアセンブリ（１０）内の増幅されたレーザーパルスの規定の循環時間を与え、且つ少なくとも
・  ２つの反射部材（１６、２６）、特にここで、その内の少なくとも１つは、ポンプ光の波長に関して部分的に透明である、
・  レーザー媒質（１７）、
・  偏光及び／又は位相の電圧制御された変化を与えるため、及び、該電気光学変調器（１５）へ印加された増幅電圧を変動させることにより該レーザーアセンブリ（１０）からレーザー光を引出すための、電気光学変調器（１５）、特にポッケルスセル（１５）、
・  規定の電圧を該電気光学変調器（１５）へ与え且つそれにより該電気光学変調器（１５）を駆動するための回路、
・  該規定の電圧が該電気光学変調器（１５）へ印加されるような仕方における、少なくとも該回路の制御用スイッチングのための制御用ユニット、
を備え、
該制御用ユニット及び該回路は、該電圧が該電気光学変調器（１５）へ規定のパルス引出しシーケンスに従い印加可能であるように協働的に実装され、該パルス引出しシーケンスは、規定の時間間隔の間、該増幅電圧に対する規定の電圧変化（４０）を備えている、ここで、該電圧の変化は、
・  少なくとも１つの中間スイッチング状態が、該時間間隔の間、中間電圧を印加することにより該電気光学変調器（１５）の側に生成され、該中間スイッチング状態は、該電気光学変調器（１５）により該増幅されたレーザー放射の偏光の特定の変化を与える、
・  最終スイッチング状態が、該時間間隔の端で、最終引出し電圧を印加することにより該電気光学変調器（１５）の側に生成される、
・  該少なくとも１つの中間スイッチング状態における該増幅されたレーザーパルスの該電気光学変調器（１５）との少なくとも１つの中間相互作用が、該増幅されたレーザーパルスの少なくとも１つの個別の中間循環について与えられる、
・  最終スイッチング状態における該増幅されたレーザーパルスの該電気光学変調器（１５）との最終相互作用が、該少なくとも１つの中間循環に続く該増幅されたレーザーパルスの最終循環について与えられる、
ように調整され、
その結果、少なくとも２つのレーザーパルスの列は、夫々のスイッチング状態にある該電気光学変調器（１５）で、各循環での該増幅されたレーザーパルスの該与えられた相互作用に従い引出し可能である、
ことを特徴とする、上記レーザーアセンブリ。
【請求項１２】
該回路は、
・  ３つのスイッチ（３３、３４、３５）、
・  ２つの電力供給部（３１，３２）、及び
・  可変電流リミッタ（３６）、
を備え、
特にここで、該電圧変化（４０）が、規定の仕方で且つ該電圧変化の傾斜、及び／又は、該電圧変化の時間的伸長が規定の仕方で該電気光学変調器（１５）へ印加されるように、少なくとも該スイッチ（３３、３４、３５）及び該可変電流リミッタ（３６）は、該制御用ユニットにより制御可能である、
ことを特徴とする、請求項１１に記載のレーザーアセンブリ。
【請求項１３】
該レーザーアセンブリ（１０）は、該増幅されたレーザー放射からのレーザー光の偏光感知引出しのための偏光選択要素（１３）、特に偏光ビームスプリッタ、を備えている、特にここで、該偏光選択要素（１３）は、該２つの反射部材（１６、２６）の１つにより具象化されている、
ことを特徴とする、請求項１１又は１２に記載のレーザーアセンブリ。
【請求項１４】
該制御用ユニット及び該回路は、該パルス引出しシーケンスの実行により、
・  該増幅されたレーザーパルスの該増幅されたレーザー光の初期偏光状態が、該もたらされた偏光が規定の引出し基準に合致するように変えられる、特にここで、該引出し基準は、該偏光選択要素により少なくとも規定され、且つ該レーザーアセンブリから放出されるべき該増幅されたレーザーパルスの部分を規定する、
・  該初期偏光状態の引出し偏光状態への変化が、該少なくとも１つの中間、及び／又は、該最終スイッチング状態の間に、該増幅されたレーザーパルスの該電気光学変調器（１５）との相互作用により与えられる、
ように協働的に実装されている、
ことを特徴とする、請求項１１〜１３のいずれか１項に記載のレーザーアセンブリ。
【請求項１５】
プログラムコードを備える計算機プログラム製品であって、該プログラム製品は、機械読み取り可能な媒体上にストアされるか又は電磁波により具現化され、請求項１〜１０のいずれか１項に記載の方法に従い、特に請求項１１〜１４のいずれか１項に記載のレーザーアセンブリの制御用ユニット上でランされるとき、該パルス引出しシーケンスを実行するために、実装された計算機実行可能命令を有するプログラムコードセグメントを備える、特にここで、該計算機プログラム製品は、プログラマブルロジック（プログラム可能論理）により提供され、又はハードワイヤードロジック（配線論理）として実装される、
上記計算機プログラム製品。